(57)【要約】【課題】携帯電話機で可読不可能な所定の文字コードで構成された文字列を有する電子メールの内容を受信側の携帯電話機で容易に確認可能にする電子メール配信方法を提供する。【解決手段】電子メールＥの文字列の所定の文字コードを、文字フォントデータに対応するテーブルに適合するように変換して再配列することでグラフィックデータＧにそれぞれ変換する。グラフィックデータＧを受信側の携帯電話機Ｔにてダウンロードすることで、受信者が電子メールＥの内容を携帯電話機Ｔで容易に確認できる。【選択図】        図１
2004310706.tif 000002
【特許請求の範囲】
【請求項１】
複数の携帯端末の間で所定の規格の電子メールを配信する電子メール配信装置であって、
所定の文字コードで構成された文字列を有する電子メールの前記所定の文字コードを、それぞれ所定の変換文字コードに変換する文字コード変換手段と、
前記電子メールの前記所定の変換文字コードのそれぞれを、各所定の変換文字コードに対応し前記受信側の携帯端末で表示可能な画像データにそれぞれ変換する画像データ変換手段と、
前記画像データを前記受信側の携帯端末に転送する転送手段と
を具備したことを特徴とした電子メール配信装置。
【請求項２】
画像データを圧縮する圧縮手段を具備し、
転送手段は、前記圧縮手段にて圧縮された画像データを受信側の携帯端末に転送する
ことを特徴とした請求項１記載の電子メール配信装置。
【請求項３】
転送手段にて画像データを受信側の携帯端末に転送する際に、前記受信側の携帯端末に通知する通知手段を具備した
ことを特徴とした請求項１または２記載の電子メール配信装置。
【請求項４】
複数の携帯端末の間で所定の規格の電子メールを配信する電子メール配信方法であって、
所定の文字コードで構成された文字列を有する電子メールの前記所定の文字コードを、それぞれ所定の変換文字コードに変換し、
前記電子メールの前記所定の変換文字コードのそれぞれを、各所定の変換文字コードに対応し前記受信側の携帯端末で表示可能な画像データにそれぞれ変換し、
前記画像データを前記受信側の携帯端末に転送する
ことを特徴とした電子メール配信方法。
【請求項５】
画像データを受信側の携帯端末に転送する際に、この画像データを圧縮する
ことを特徴とした請求項４記載の電子メール配信方法。
【請求項６】
画像データを受信側の携帯端末に転送する際に、前記受信側の携帯端末に通知する
ことを特徴とした請求項４または５記載の電子メール配信方法。
【請求項７】
コンピュータに、
所定の文字コードで構成された文字列を有する所定の規格の電子メールの前記所定の文字コードを、それぞれ所定の変換文字コードに変換するステップと、
前記電子メールの前記所定の変換文字コードのそれぞれを、各所定の変換文字コードに対応し前記受信側の携帯端末で表示可能な画像データにそれぞれ変換するステップと、
前記画像データを前記受信側の携帯端末に転送するステップと
を実行させることを特徴とした電子メール配信プログラム。
【請求項８】
画像データを受信側の携帯端末に転送するステップの際に、この画像データを圧縮するステップを、コンピュータに実行させる
ことを特徴とした請求項７記載の電子メール配信プログラム。
【請求項９】
画像データを受信側の携帯端末に転送するステップの際に、前記受信側の携帯端末に通知するステップを、コンピュータに実行させる
ことを特徴とした請求項７または８記載の電子メール配信プログラム。
【請求項１０】
請求項７ないし９いずれか一記載の電子メール配信プログラムを、コンピュータ読み取り可能に記録した
ことを特徴とした電子メール配信プログラムを記録したコンピュータ読み取り可能な記録媒体。
【発明の詳細な説明】
【０００１】
【発明の属する技術分野】
本発明は、複数の携帯端末の間で所定の規格の電子メールを配信する電子メール配信装置、電子メール配信方法、電子メール配信プログラムおよび電子メール配信プログラムを記録したコンピュータ読み取り可能な記録媒体に関する。
【０００２】
【従来の技術】
従来、国際社会においては、例えば平仮名、片仮名、漢字、ロシア文字およびハングル文字などの、特定の言語の文字を使用できない環境が多い。
【０００３】
例えば、インターネットなどのネットワークにおいても、使用するコンピュータのＯＳ（Ｏｐｅｒａｔｉｎｇ  Ｓｙｓｔｅｍ）が平仮名、片仮名、漢字などを使用可能としていても、これら文字の環境設定がされていないことで、これら文字を使用できないことがある。
【０００４】
そこで、従来、電子メールの文字列を、この文字列中の各文字に対応した画像データにそれぞれ変換し、この画像データをＷＥＢブラウザに表示可能なＨＴＭＬ（Ｈｙｐｅｒｔｅｘｔ  Ｍａｒｋｕｐ  Ｌａｎｇｕａｇｅ）形式の画像ファイルとすることで、日本語などのフォントがインストールされていないコンピュータでも電子メールの内容を確認可能にする方法が知られている（例えば、特許文献１参照。）。
【０００５】
【特許文献１】
特開２００２−３４２２４３号公報（第４−５頁、図１）
【０００６】
【発明が解決しようとする課題】
しかしながら、上述の方法では、電子メールの文字列をＨＴＭＬ形式の画像ファイルに変換するため、インターネットを使用しない携帯電話機などでは使用できないという問題点を有している。
【０００７】
本発明はこのような点に鑑みなされたもので、受信側の携帯端末で表示不可能な所定の文字コードで構成された文字列を有する電子メールの内容を受信側の携帯端末で容易に確認可能にする電子メール配信装置、電子メール配信方法、電子メール配信プログラムおよび電子メール配信プログラムを記録したコンピュータ読み取り可能な記録媒体を提供することを目的とする。
【０００８】
【課題を解決するための手段】
請求項１記載の電子メール配信装置は、複数の携帯端末の間で所定の規格の電子メールを配信する電子メール配信装置であって、所定の文字コードで構成された文字列を有する電子メールの前記所定の文字コードを、それぞれ所定の変換文字コードに変換する文字コード変換手段と、前記電子メールの前記所定の変換文字コードのそれぞれを、各所定の変換文字コードに対応し前記受信側の携帯端末で表示可能な画像データにそれぞれ変換する画像データ変換手段と、前記画像データを前記受信側の携帯端末に転送する転送手段とを具備したものである。
【０００９】
そして、例えば電子メールの文字列の受信側の携帯端末で表示不可能な所定の文字コードを、文字コード変換手段にて所定の変換文字コードに変換し、これら所定の変換文字コードを所定の変換文字コードに対応し受信側の携帯端末で表示可能な画像データに画像データ変換手段にてそれぞれ変換し、この画像データを受信側の携帯端末に転送手段にて転送することで、受信側の携帯端末で表示不可能な所定の文字コードで構成された文字列を有する電子メールの内容を、受信側の携帯端末で容易に確認可能になる。
【００１０】
請求項２記載の電子メール配信装置は、請求項１記載の電子メール配信装置において、画像データを圧縮する圧縮手段を具備し、転送手段は、前記圧縮手段にて圧縮された画像データを受信側の携帯端末に転送するものである。
【００１１】
そして、画像データを圧縮手段で圧縮して転送手段にて受信側の携帯端末に転送することで、転送手段による画像データの転送の負担を低減できる。
【００１２】
請求項３記載の電子メール配信装置は、請求項１または２記載の電子メール配信装置において、転送手段にて画像データを受信側の携帯端末に転送する際に、前記受信側の携帯端末に通知する通知手段を具備したものである。
【００１３】
そして、転送手段にて画像データを受信側の携帯端末に転送する際に、通知手段にて受信側の携帯端末に通知することで、電子メールの受信を受信側の携帯端末で容易に確認できる。
【００１４】
請求項４記載の電子メール配信方法は、複数の携帯端末の間で所定の規格の電子メールを配信する電子メール配信方法であって、所定の文字コードで構成された文字列を有する電子メールの前記所定の文字コードを、それぞれ所定の変換文字コードに変換し、前記電子メールの前記所定の変換文字コードのそれぞれを、各所定の変換文字コードに対応し前記受信側の携帯端末で表示可能な画像データにそれぞれ変換し、前記画像データを前記受信側の携帯端末に転送するものである。
【００１５】
そして、例えば所定の規格の電子メールの受信側の携帯端末で表示不可能な所定の文字コードを、それぞれ所定の変換文字コードに変換し、これら所定の変換文字コードのそれぞれを、各所定の変換文字コードに対応し受信側の携帯端末で表示可能な画像データにそれぞれ変換し、この画像データを受信側の携帯端末に転送することで、受信側の携帯端末で表示不可能な所定の文字コードで構成された文字列を有する電子メールの内容を、受信側の携帯端末で容易に確認可能になる。
【００１６】
請求項５記載の電子メール配信方法は、請求項４記載の電子メール配信方法において、画像データを受信側の携帯端末に転送する際に、この画像データを圧縮するものである。
【００１７】
そして、画像データを受信側の携帯端末に転送する際に、この画像データを圧縮することで、画像データの転送の際の負担を低減できる。
【００１８】
請求項６記載の電子メール配信方法は、請求項４または５記載の電子メール配信方法において、画像データを受信側の携帯端末に転送する際に、前記受信側の携帯端末に通知するものである。
【００１９】
そして、画像データを受信側の携帯端末に転送する際に、受信側の携帯端末に通知することで、電子メールの受信を受信側の携帯端末で容易に確認できる。
【００２０】
請求項７記載の電子メール配信プログラムは、コンピュータに、所定の文字コードで構成された文字列を有する所定の規格の電子メールの前記所定の文字コードを、それぞれ所定の変換文字コードに変換するステップと、前記電子メールの前記所定の変換文字コードのそれぞれを、各所定の変換文字コードに対応し前記受信側の携帯端末で表示可能な画像データにそれぞれ変換するステップと、前記画像データを前記受信側の携帯端末に転送するステップとを実行させるものである。
【００２１】
そして、例えば所定の規格の電子メールの受信側の携帯端末で表示不可能な所定の文字コードを、それぞれ所定の変換文字コードに変換するステップと、これら所定の変換文字コードのそれぞれを、各所定の変換文字コードに対応し受信側の携帯端末で表示可能な画像データにそれぞれ変換するステップと、画像データを受信側の携帯端末に転送するステップとをコンピュータに実行させることで、受信側の携帯端末で表示不可能な所定の文字コードで構成された文字列を有する電子メールの内容を、受信側の携帯端末で容易に確認可能になる。
【００２２】
請求項８記載の電子メール配信プログラムは、請求項７記載の電子メール配信プログラムにおいて、画像データを受信側の携帯端末に転送するステップの際に、この画像データを圧縮するステップを、コンピュータに実行させるものである。
【００２３】
そして、画像データを受信側の携帯端末に転送するステップの際に、この画像データを圧縮するステップを、コンピュータに実行させることで、画像データの転送の際の負担を低減できる。
【００２４】
請求項９記載の電子メール配信プログラムは、請求項７または８記載の電子メール配信プログラムにおいて、画像データを受信側の携帯端末に転送するステップの際に、前記受信側の携帯端末に通知するステップを、コンピュータに実行させるものである。
【００２５】
そして、画像データを受信側の携帯端末に転送するステップの際に、受信側の携帯端末に通知するステップを、コンピュータに実行させることで、電子メールの受信を受信側の携帯端末で容易に確認できる。
【００２６】
請求項１０記載の電子メール配信プログラムを記録したコンピュータ読み取り可能な記録媒体は、請求項７ないし９いずれか一記載の電子メール配信プログラムを、コンピュータ読み取り可能に記録したものである。
【００２７】
そして、請求項７ないし９いずれか一記載の電子メール配信プログラムをコンピュータ読み取り可能に記録することで、電子メール配信プログラムを様々なコンピュータにて実行させることが可能になる。
【００２８】
【発明の実施の形態】
以下、本発明の電子メール配信装置の一実施の形態の構成を図１ないし図３を参照して説明する。
【００２９】
図１において、Ｔは携帯電話機であり、これら携帯電話機Ｔは、例えばＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）などの携帯端末としての携帯電話機であり、電子メール配信装置としてのメールサーバＳを介して電子メールＥを互いに送受信可能である。また、携帯電話機Ｔは、画像データ、すなわちグラフィックデータであるアイコンのダウンロード機能を有している。
【００３０】
電子メールＥは、例えばＳＭＳ（Ｓｈｏｒｔ  Ｍｅｓｓａｇｅ  Ｓｅｒｖｉｃｅ）、あるいはＭＭＳ（Ｍｕｌｔｉｍｅｄｉａ  Ｍｅｓｓａｇｅ  Ｓｅｒｖｉｃｅ）などのインターネットでない環境を利用する所定の規格のもので、図２に示すように、送信先、すなわち受信側の携帯電話機Ｔのアドレス、および、送信元、すなわち送信側の携帯電話機Ｔのアドレスなどの文字列を有する例えばＲＦＣ−８２２規格のヘッダ部Ｈと、図３に示すように、受信側の携帯電話機Ｔへの通信内容などの文字列を有する本文部Ｌとを備えている。
【００３１】
メールサーバＳには、例えばサーブレット（Ｓｅｒｖｌｅｔ）、あるいはＣＧＩ（Ｃｏｍｍｏｎ  Ｇａｔｅｗａｙ  Ｉｎｔｅｒｆａｃｅ）などによるメール配信プログラム、すなわちメーラがインストールされている。この結果、メールサーバＳは、少なくとも以下の５つの機能を有している。
【００３２】
第１に、送信側の携帯電話機Ｔにより電子メールＥのヘッダ部Ｈおよび本文部Ｌの文字列中の所定の文字コード、例えばＪＩＳコードなどを、それぞれ所定の変換文字コード、例えばいわゆるＵＴＦ（Ｕｎｉｃｏｄｅ  Ｔｒａｎｓｆｏｒｍａｔｉｏｎ  Ｆｏｒｍａｔ）コード、あるいはシフトＪＩＳコードなどに変換する文字コード変換手段の機能。
【００３３】
第２に、変換された電子メールＥのヘッダ部Ｈおよび本文部Ｌの文字列中の所定の変換文字コードのそれぞれを、各変換文字コードの文字フォントデータに対応するデータの集合、すなわちテーブルに適合するように変換して再配列することで、受信側の携帯電話機Ｔで表示可能な、例えばＢＭＰ（Ｂｉｔｍａｐ）形式などの画像データとしてのグラフィックデータＧにそれぞれ変換する画像データ変換手段の機能。
【００３４】
第３に、グラフィックデータＧを、例えばＰＮＧ（Ｐｏｒｔａｂｌｅ  Ｎｅｔｗｏｒｋ  Ｇｒａｐｈｉｃｓ）などの所定の形式に圧縮する圧縮手段の機能。
【００３５】
第４に、圧縮されたグラフィックデータＧを受信側の携帯電話機Ｔに転送する転送手段の機能。
【００３６】
第５に、電子メールＥの受信を受信側の携帯電話機Ｔに通知する通知手段の機能。
【００３７】
次に、上記一実施の形態による電子メール配信方法を、図面を参照して説明する。
【００３８】
まず、図４のフローチャートに示すように、送信者が送信側の携帯電話機Ｔから送信した電子メールＥがメールサーバＳに着信する（ステップ１）と、このメールサーバＳのメーラが起動される。
【００３９】
そして、電子メールＥに記入された受信側の携帯電話機Ｔのアドレス、あるいは電話番号が有効であるかどうかをメールサーバＳが判断する（ステップ２）。このステップ２において、電子メールＥに記入された受信側の携帯電話機Ｔのアドレス、あるいは電話番号が有効でないとメールサーバＳが判断した場合には、送信側の携帯電話機Ｔにアドレス間違い、あるいは電話番号間違いなどを示すメッセージなどを返信して終了する。
【００４０】
一方、ステップ２において、電子メールＥに記入された受信側の携帯電話機Ｔのアドレス、あるいは電話番号が有効であるとメールサーバＳが判断した場合には、電子メールＥのヘッダ部Ｈから送信側の携帯電話機Ｔのアドレス、あるいは電話番号と、送信日時などとをそれぞれ記録、すなわち着信記録して（ステップ３）終了する処理、電子メールＥのヘッダ部Ｈの処理（ステップ４）、および、電子メールＥの本文部Ｌの処理（ステップ５）の３つを並列に処理する。
【００４１】
さらに、ステップ４およびステップ５の処理をした後、メールサーバＳは、受信者個人のメールボックスのデータベースに電子メールＥとグラフィックデータＧとを互いに関連付けて保存することで、受信者個人のメールボックスのデータベースを更新する（ステップ６）。
【００４２】
そして、メールサーバＳは、電子メールＥの到着を、例えばＳＭＳシステムアラートにて受信側の携帯電話機Ｔに通知する（ステップ７）。
【００４３】
ここで、ヘッダ部Ｈの処理を、図５に示すフローチャートを参照して説明する。
【００４４】
一般的に、送信者の名称などは、本来のＲＦＣ−８２２規格に使用可能ないわゆるＡＳＣＩＩコードの英数字および特殊記号でない、例えば日本語文字などの文字列が英数字に符号化されて配置されていることが多い。このため、送信者の名称などを、ヘッダ部Ｈから切り出し、すなわち抽出し、携帯電話機Ｔで折り返しを入れずに表示可能な範囲の文字数に制限する（ステップ１１）。
【００４５】
次いで、送信者の名称の文字コードを確認する。例えば、送信者の名称の文字コードがシフトＪＩＳコードであるかどうかをメールサーバＳが判断する（ステップ１２）。
【００４６】
このステップ１２において、送信者の名称の文字コードがシフトＪＩＳコードでないとメールサーバＳが判断した場合には、送信者の名称の文字コードがＪＩＳコードであるかどうかをメールサーバＳが判断する（ステップ１３）。
【００４７】
このステップ１３において、送信者の名称の文字コードがＪＩＳコードであるとメールサーバＳが判断した場合には、送信者の名称の文字列の文字コードをＪＩＳコードからシフトＪＩＳコードへと変換する（ステップ１４）。
【００４８】
そして、シフトＪＩＳコードに変換した送信者の名称の文字列の大きさから生成したＢＭＰヘッダを付加し、この送信者の名称の文字列の先頭から末尾に向けて文字毎にこれら各文字のピクセルサイズまで順次データ列に展開する。すなわち、シフトＪＩＳコードに変換した文字コードを、文字列の各文字のフォントデータに対応するテーブルに適合するように変換して再配列する。この結果、送信者の名称の文字列を、この文字列の各文字のそのものをそれぞれ表示するグラフィックデータＧに変換する（ステップ１５）。
【００４９】
また、ステップ１３において、送信者の名称の文字コードがＪＩＳコードでないとメールサーバＳが判断した場合には、送信者の名称の文字コードが例えばＥＵＣ（Ｅｘｔｅｎｄｅｄ  Ｕｎｉｘ（登録商標）  Ｃｏｄｅ）コードであるとメールサーバＳが判断し、送信者の名称のＥＵＣコードをシフトＪＩＳコードへと変換し（ステップ１６）、ステップ１５に進む。
【００５０】
一方、ステップ１２において、送信者の名称の文字コードがシフトＪＩＳコードであるとメールサーバＳが判断した場合には、そのままステップ１５に進む。
【００５１】
さらに、ステップ１５において変換されたグラフィックデータＧを、携帯電話機Ｔへの転送の際の負担を低減するために圧縮する（ステップ１７）。
【００５２】
この後、圧縮されたグラフィックデータＧ、および、ヘッダ部Ｈから抽出した送信者のデータを、メールサーバＳに保存し（ステップ１８）、リターンする。
【００５３】
次に、本文部Ｌの処理を、図６に示すフローチャートを参照して説明する。
【００５４】
まず、本文部Ｌの文字列中に付加された、いわゆるＨＴＭＬ（Ｈｙｐｅｒｔｅｘｔ  Ｍａｒｋｕｐ  Ｌａｎｇｕａｇｅ）タグを削除する（ステップ２１）。
【００５５】
次いで、本文部Ｌの文字コードを確認するために、ヘッダ部Ｈのステップ１２ないしステップ１４およびステップ１６と同様のステップ２２ないしステップ２５の処理をする。
【００５６】
そして、メールサーバＳは、これらステップ２２ないしステップ２５にてシフトＪＩＳコードに変換された本文部Ｌの文字列から、読点あるいはピリオドの後に改行コードがあるもの、および、改行コードが２つ続くもの以外の不必要な改行コードを削除して不必要な折り返しを排除し、受信側の携帯電話機Ｔで表示可能な指定の幅に調整する（ステップ２６）。この幅の調整の際に、改行位置の直後の文字が句点あるいは読点の場合には、改行コードの挿入をこれら句点あるいは読点の後にして整形する。
【００５７】
この後、メールサーバＳは、ヘッダ部Ｈの処理のステップ１５およびステップ１７と同様のステップ２７およびステップ２８の処理をした後、グラフィックデータＧを保存し（ステップ２９）、リターンする。
【００５８】
次に、上記一実施の形態による電子メール配信方法にて作成されたグラフィックデータＧを、例えばＷＡＰ（Ｗｉｒｅｌｅｓｓ  Ａｐｐｌｉｃａｔｉｏｎ  Ｐｒｏｔｏｃｏｌ）を用いて受信者が読み出す方法を、図７に示すフローチャート、図８および図９を参照して説明する。
【００５９】
まず、電子メールＥの受信を通知された受信側の携帯電話機Ｔで、図８に示すＣＧＩによる受信ボックスＢから所望の電子メールＥ１を選択し、この選択した電子メールＥ１に対して図９に示す入力画面から所定のコマンドＣを選択して入力することで、このコマンドＣに対応した数値、すなわち引数、および、受信側の携帯電話機Ｔの電話番号などを含むＳＭＳメッセージがメールサーバＳに送信される。すなわち、受信側の携帯電話機Ｔから、電子メールＥ１の送信要求がメールサーバＳに送信される。
【００６０】
メールサーバＳは、図７のフローチャートに示すように、ＳＭＳメッセージを受信して（ステップ３１）メーラが起動され、ＳＭＳメッセージを受信したことを、呼び出し記録として同時に記録する（ステップ３２）。
【００６１】
次いで、メールサーバＳは、受信したＳＭＳメッセージに記載された電話番号を確認し（ステップ３３）、電話番号に不正、すなわちエラーがあるかどうかを判断する（ステップ３４）。
【００６２】
このステップ３４において、ＳＭＳメッセージの電話番号にエラーがあるとメールサーバＳが判断した場合には、エラーメッセージを受信側の携帯電話機Ｔに送信して（ステップ３５）終了する。
【００６３】
一方、ステップ３４において、ＳＭＳメッセージの電話番号にエラーがないとメールサーバＳが判断した場合には、ＳＭＳメッセージのコマンドを確認し（ステップ３６）、このコマンドにエラーがあるかどうかをメールサーバＳが判断する（ステップ３７）。
【００６４】
このステップ３７において、ＳＭＳメッセージのコマンドにエラーがあるとメールサーバＳが判断した場合には、使用方法を受信側の携帯電話機Ｔに送信して（ステップ３８）終了する。
【００６５】
一方、ステップ３７において、ＳＭＳメッセージのコマンドにエラーがないとメールサーバＳが判断した場合には、例えば電子メールＥ１の読み出し、削除、および、リストの３つコマンドのいずれが入力されているかをメールサーバＳが判断する（ステップ３９）。
【００６６】
このステップ３９において、電子メールＥ１の読み出しのコマンドが入力されているとメールサーバＳが判断した場合には、ＳＭＳメッセージにて指定された引数を確認し（ステップ４０）、ＳＭＳメッセージにて指定された電子メールＥ１に対応する所定のメールデータを選択して（ステップ４１）、所定のメールデータに対応したグラフィックデータＧを受信側の携帯電話機Ｔに、例えばＭＭＳなどにて送信する（ステップ４２）。この結果、受信側の携帯電話機Ｔで、電子メールＥ１の内容を表示したグラフィックデータＧがアイコンとしてダウンロードされて表示され、受信者が電子メールＥ１の内容を確認可能になる。
【００６７】
ここで、本文部Ｌを表示するグラフィックデータＧが携帯電話機Ｔの画面に入りきらない場合には、仮想画面にて処理し、グラフィックデータＧが所定のデータ容量、例えば３０ＫＢを超えた場合には、グラフィックデータＧを分割して続きを読めるようにする。
【００６８】
また、ステップ３９において、電子メールＥの削除のコマンドが入力されているとメールサーバＳが判断した場合には、ＳＭＳメッセージにて指定された引数を確認し（ステップ４３）、ＳＭＳメッセージにて指定された電子メールＥ１に対応する所定のメールデータおよびこのメールデータに対応したグラフィックデータＧを削除して（ステップ４４）、受信側の携帯電話機Ｔに削除メッセージを送信する（ステップ４５）。
【００６９】
さらに、ステップ３９において、電子メールＥのリストのコマンドが入力されているとメールサーバＳが判断した場合には、メールリストを作成し（ステップ４６）、ステップ４２に進んでこのメールリストを受信側の携帯電話機Ｔに送信する。
【００７０】
上述したように、上記一実施の形態によれば、ＳＭＳなどの電子メールＥの文字列のＪＩＳコード、あるいはＥＵＣコードなどの所定の文字コードを、それぞれシフトＪＩＳコードに変換し、これらシフトＪＩＳコードのそれぞれを、各シフトＪＩＳコードに対応し各文字そのものを表示するグラフィックデータＧにそれぞれ変換し、このグラフィックデータＧを受信側の携帯電話機Ｔに転送、すなわち受信側の携帯電話機Ｔにてアイコンとしてダウンロードすることにより、グラフィックデータＧを受信側の携帯電話機Ｔにて表示する。
【００７１】
この結果、ＨＴＭＬなどのインターネット専用の書式が必要なく、インターネットを利用しない携帯電話機Ｔにおいて、例えば片仮名、平仮名、漢字などを有する日本語などの表示不可能、すなわち可読不可能な所定の文字コードで構成された文字列を有する電子メールＥの内容を、例えば所定のプログラムなどを携帯電話機Ｔにインストールしたりすることなく受信者が携帯電話機Ｔで画像として容易に確認できる。
【００７２】
したがって、メールサーバＳにインストールされているメーラのプログラム、すなわちソフトウェアのみで上記各処理を行っているので、携帯電話機Ｔがアイコンをダウンロードする機能を有しているだけで、電子メールＥの所定の文字コードを表示するためのシステム、すなわち文字セットを有することなく、携帯電話機Ｔ、すなわちハードウェアに依存せずに如何なる所定の文字コードであっても表示できる。
【００７３】
そして、メールサーバＳで受信した電子メールＥ全てに対してグラフィックデータＧを生成するので、このグラフィックデータＧの読み出しの際には、ＷＡＰ以外にもこのＷＡＰによる読み出しを視覚化、すなわちビジュアル化することでインターネットと同様にアクセス可能としたＧＰＲＳ（Ｇｅｎｅｒａｌ  Ｐａｃｋｅｔ  Ｒａｄｉｏ  Ｓｅｒｖｉｃｅ）などをも使用できるから、複数、例えば２つの系統で電子メールＥの読み出しに対応でき、汎用性を向上できる。
【００７４】
また、グラフィックデータＧを受信側の携帯電話機Ｔに転送する際に、このグラフィックデータＧを圧縮することで、グラフィックデータＧの転送の際の負担を低減できる。
【００７５】
さらに、グラフィックデータＧを受信側の携帯電話機Ｔに転送する際に、受信側の携帯電話機Ｔに通知することで、電子メールＥの受信を受信側の携帯電話機Ｔで受信者が容易に確認できる。
【００７６】
またさらに、本文部Ｌの処理の際に、改行位置の直後の文字が句点あるいは読点の場合には、改行コードの挿入をこれら句点あるいは読点の後にして整形することにより、グラフィックデータＧに変換した電子メールＥを、より読みやすくできる。
【００７７】
そして、所定の変換文字コードとしてシフトＪＩＳコードを用いることで、電子メールＥのヘッダ部Ｈおよび本文部Ｌの文字列に含まれる半角文字をメールサーバＳが確実に認識できる。
【００７８】
また、上記一実施の形態の各ステップを電子メール配信プログラムとしてコンピュータに実行させることで、受信側の携帯電話機Ｔで表示不可能な所定の文字コードで構成された文字列を有する電子メールＥの内容を、受信者が携帯電話機Ｔで容易に確認できる。
【００７９】
またさらに、電子メールＥの文字情報を画像情報、すなわちグラフィックデータＧに変換するから、例えばＷＡＰによりグラフィックデータＧを読み出す際には、ＳＭＳにてＭＭＳの送信要求を受信側の携帯電話機Ｔから送信した際に課金することで、ダウンロード単位に課金情報を識別し、画像情報単位と課金情報とを連動させることが容易になり、ダウンロード単位での課金を容易に管理できる。
【００８０】
さらに、この電子メール配信プログラムを光学ディスク、あるいは磁気ディスクなどの記録媒体にコンピュータ読み取り可能に記録させて用いることにより、他の様々なコンピュータでもこのプログラムを実現でき、上記一実施の形態の各ステップと同様の作用効果を得ることができる。
【００８１】
なお、上記一実施の形態において、所定の文字コードは、日本語を表す文字コードに限定されず、例えばロシア文字、あるいはハングル文字など、英数字でない文字列を含む文字であれば、他の様々な文字コードでも可能である。
【００８２】
また、所定の変換文字コードは、シフトＪＩＳコードに限定されるものではなく、ＥＵＣコードに全角と半角との切り換えコードであるシフトインおよびシフトアウトを加えて半角片仮名文字を使用可能にした拡張ＥＵＣ、すなわちＡＴ漢字など、様々な文字コードが可能である。
【００８３】
さらに、グラフィックデータＧの圧縮形式は、ＰＮＧ形式に限定されるものではない。
【００８４】
また、他の実施の形態として、例えば受信側の携帯電話機Ｔと通信して携帯電話機Ｔの機種などを判別する判別手段をメールサーバＳに設け、所定の文字コードが表示できない携帯電話機Ｔの機種に対してのみグラフィックデータＧを転送するようにした構成も可能である。
【００８５】
【発明の効果】
請求項１記載の電子メール配信装置によれば、例えば電子メールの文字列の受信側の携帯端末で表示不可能な所定の文字コードを、文字コード変換手段にて所定の変換文字コードに変換し、これら所定の変換文字コードを所定の変換文字コードに対応し受信側の携帯端末で表示可能な画像データに画像データ変換手段にてそれぞれ変換し、この画像データを受信側の携帯端末に転送手段にて転送することで、受信側の携帯端末で表示不可能な所定の文字コードで構成された文字列を有する電子メールの内容を、受信側の携帯端末で容易に確認できる。
【００８６】
請求項２記載の電子メール配信装置によれば、画像データを圧縮手段で圧縮して転送手段にて受信側の携帯端末に転送することで、転送手段による画像データの転送の負担を低減できる。
【００８７】
請求項３記載の電子メール配信装置によれば、転送手段にて画像データを受信側の携帯端末に転送する際に、通知手段にて受信側の携帯端末に通知することで、電子メールの受信を受信側の携帯端末で容易に確認できる。
【００８８】
請求項４記載の電子メール配信方法によれば、例えば所定の規格の電子メールの受信側の携帯端末で表示不可能な所定の文字コードを、それぞれ所定の変換文字コードに変換し、これら所定の変換文字コードのそれぞれを、各所定の変換文字コードに対応し受信側の携帯端末で表示可能な画像データにそれぞれ変換し、この画像データを受信側の携帯端末に転送することで、受信側の携帯端末で表示不可能な所定の文字コードで構成された文字列を有する電子メールの内容を、受信側の携帯端末で容易に確認できる。
【００８９】
請求項５記載の電子メール配信方法によれば、画像データを受信側の携帯端末に転送する際に、この画像データを圧縮することで、画像データの転送の際の負担を低減できる。
【００９０】
請求項６記載の電子メール配信方法によれば、画像データを受信側の携帯端末に転送する際に、受信側の携帯端末に通知することで、電子メールの受信を受信側の携帯端末で容易に確認できる。
【００９１】
請求項７記載の電子メール配信プログラムによれば、例えば所定の規格の電子メールの受信側の携帯端末で表示不可能な所定の文字コードを、それぞれ所定の変換文字コードに変換するステップと、これら所定の変換文字コードのそれぞれを、各所定の変換文字コードに対応し受信側の携帯端末で表示可能な画像データにそれぞれ変換するステップと、画像データを受信側の携帯端末に転送するステップとをコンピュータに実行させることで、受信側の携帯端末で表示不可能な所定の文字コードで構成された文字列を有する電子メールの内容を、受信側の携帯端末で容易に確認できる。
【００９２】
請求項８記載の電子メール配信プログラムによれば、画像データを受信側の携帯端末に転送するステップの際に、この画像データを圧縮するステップを、コンピュータに実行させることで、画像データの転送の際の負担を低減できる。
【００９３】
請求項９記載の電子メール配信プログラムによれば、画像データを受信側の携帯端末に転送するステップの際に、受信側の携帯端末に通知するステップを、コンピュータに実行させることで、電子メールの受信を受信側の携帯端末で容易に確認できる。
【００９４】
請求項１０記載の電子メール配信プログラムを記録したコンピュータ読み取り可能な記録媒体によれば、請求項７ないし９いずれか一記載の電子メール配信プログラムをコンピュータ読み取り可能に記録することで、電子メール配信プログラムを様々なコンピュータにて実行できる。
【図面の簡単な説明】
【図１】本発明の電子メール配信装置の一実施の形態を示す説明図である。
【図２】同上電子メールのヘッダ部を示す説明図である。
【図３】同上電子メールの本文部を示す説明図である。
【図４】同上電子メール配信装置による電子メール配信方法を示すフローチャートである。
【図５】同上電子メール配信方法のヘッダ部の処理を示すフローチャートである。
【図６】同上電子メール配信方法の本文部の処理を示すフローチャートである。
【図７】同上電子メール配信方法の電子メールの読み出し処理を示すフローチャートである。
【図８】同上携帯端末の一部を示す説明図である。
【図９】同上携帯端末の一部を示す説明図である。
【符号の説明】
Ｅ    電子メール
Ｇ    画像データとしてのグラフィックデータ
Ｓ    文字コード変換手段、画像データ変換手段、転送手段、圧縮手段および通知手段を機能として有する電子メール配信装置としてのメールサーバ
Ｔ    携帯端末としての携帯電話機
【図１】
2004310706.tif 000003
【図２】
2004310706.tif 000004
【図３】
2004310706.tif 000005
【図４】
2004310706.tif 000006
【図５】
2004310706.tif 000007
【図６】
2004310706.tif 000008
【図７】
2004310706.tif 000009
【図８】
2004310706.tif 000010
【図９】
2004310706.tif 000011